(57)【特許請求の範囲】
【請求項１】
腹部に造られた人工膀胱用または人工肛門用のストーマ（ｓ）の周囲腹部に穴（５４）の開いたフランジ状の面板（５３）を貼り付けることで装着されたストーマ袋（５２）に排泄物を収納するストーマ装具（５１）を交換する際に、ストーマ（ｓ）又はストーマ装具（５１）から漏れ出した排泄物を下方位置で受け止めるストーマ装具用ダストバッグ（１）であって、
前記ストーマ装具用ダストバッグ（１）を装着する者の腹部（ａｂ）側に位置することとなる薄板である腹部側細板部（６）と、長辺方向に補強用折り線（７ａ，７ａ）が短辺方向に曲折用折り線（７ｂ）が形成され、かつ、該腹部側細板部（６）の両端にそれぞれ連結された薄板である補強用細板部（７，７）と、該両補強用細板部（７，７）の先端を連結する薄板である突出側細板部（８）とから成り、曲折用折り線（７ｂ）で二つ折りにした前記両補強用細板部（７，７）を展開したときに四角枠状になる枠体（３）と、
ストーマ（ｓ）又はストーマ装具（５１）からの排泄物を受け止めるために前記枠体（３）を構成する各細板部（６，７，７，８）に開口部（４）が取り付けられ前記枠体の展開により開口する袋本体（５）と、
前記腹部側細板部（６）に取り付けられ腹部（ａｂ）に貼り付けられる粘着面（１１）を具備した貼着板（２）と、を備え、
ストーマ装具（５１）の交換に際して、前記曲折用折り線（７ｂ）で折りたたんだ状態の前記両補強用細板部（７，７）を相互に離隔するように長辺方向に伸長させることで前記枠体（３）を四角枠状に展開して前記袋本体（５）の開口部（４）を開口させ、前記補強用折り線（７ａ）で該補強用細板部（７）の長辺部分を枠体（３）の内側に折り曲げることで剛性を生じさせて枠体（３）を四角形状の形態が維持されるように組み立てた後、ストーマ装具（５１）を袋本体（５）で掬うようにした状態で前記貼着板（２）の貼着面（１１）をストーマの下方位置の腹部（ａｂ）に貼り付けて使用する、ことを特徴とするストーマ装具用ダストバッグ。
【請求項２】
前記補強用細板部（７）の横断面が下向き略コ字状になるように、該補強用細板部（７
）の長辺方向に２本の補強用折り線（７ａ，７ａ）を形成した、ことを特徴とする請求項１のストーマ装具用ダストバッグ。
【請求項３】
前記突出側細板部（８）の長辺側に、ストーマ（ｓ）から噴出する排泄物を受け止める
衝立（１３）を設けた、ことを特徴とする請求項１又は２のストーマ装具用ダストバッグ。
【請求項４】
前記ストーマ装具用ダストバッグ（１）の使用後に可燃処理できるように、前記枠体（
３）、前記貼着板（２）と前記袋本体（５）が紙素材から成る、ことを特徴とする請求項
１、２又は３のストーマ装具用ダストバッグ。
【請求項５】
前記袋本体（５）の内部に、排泄物の液分を吸収する液体吸収材（１４）を設けた、こ
とを特徴とする請求項１、２、３又は４のストーマ装具用ダストバッグ。
【請求項６】
前記袋本体（５）の内部に、排泄物からの臭気を吸収する脱臭剤（１５）を設けた、こ
とを特徴とする請求項１、２、３、４又は５のストーマ装具用ダストバッグ。
【発明の詳細な説明】
【技術分野】
【０００１】
本発明は、排泄物排出用のストーマに装着されたストーマ装具を交換する際に、ストーマ又はストーマ装具から排泄物が床等に落下することを防止するストーマ装具用ダストバッグに関する。
【背景技術】
【０００２】
人工膀胱又は人工肛門を造設した際に、手術によって腹部に造られたストーマから排泄される「尿」又は「便」を貯留するためにストーマ装具が用いられる。ストーマ用装具は、不浸透性の可撓性を有するプラスチックフィルムで製造された人工膀胱用と人工肛門用がある。また、ストーマ装具にはいろいろな種類があり、使用者が快適な日常生活を送るためには、ストーマや皮膚の状態、生活習慣などに合わせて自分に適した装具を選ぶことができる。例えば、ワンピース（単品系）装具とツーピース（二品系）装具の２種類がある。
【０００３】
ワンピース（単品系）装具５１は、図１２に示すように、排泄物の収納袋となるストーマ袋（パウチ）５２と面板（フランジ）５３が一体となっている。これはストーマ袋５２を腹部に直接貼るだけなので簡単に取り扱うことができる。また、面板５３が柔軟性に富んでいるため皮膚になじみやすい。ワンピース装具５１には、ストーマの大きさに合わせて装着者が面板５３に穴５４を開ける「フリーカット」、あらかじめ穴が開いていて自分で切る手間が省ける「プレカット」等がある。
【０００４】
ツーピース（二品系）装具は、ストーマ袋と面板が別体になっている装具である。面板を貼り付けた状態でストーマ袋の向きを自由に変えることができ、就寝時に採尿バッグを接続する場合でもチューブがねじれることなく蓄尿できる。また、入浴時には専用の入浴用キャップに取り換えることも可能である。
【０００５】
ストーマ装具を交換するときは、図１３のフロー図に示すような手順による。先ず、古い面板５３を腹部から剥がす。古いストーマ装具５１を除去する。除去した後、ストーマ周囲の皮膚面を石けん等で洗浄する。
洗浄した皮膚面が乾いた後、新しい面板５３を貼り付ける。ワンピース（単品系）装具５１では、この面板５３とストーマ袋５２が一体となっているので、交換が完了する。なお、ツーピース（二品系）装具では、新しい面板を貼り付け、次にこの面板にストーマ袋を取り付けて交換が完了する。
【０００６】
このような一連の作業では、皮膚面を洗浄してから新しい面板５３（ストーマ袋５２）の貼り付けが終わるまでの間に、ストーマから排出された排泄物でストーマ周囲の皮膚面が汚れるので、綿棒や丸めたガーゼで排泄物を吸い取らせる等の方法で排泄物の漏出を防止している。
最後に、ストーマ装具の交換中に落下した排泄物、洗浄液等で床等が汚損されるので、これを清掃する。
【０００７】
このようなストーマ装具の交換を円滑に行う技術について、例えば特許文献１の実開平７−２８５１９号公報「ストーマケア用排泄液受け具」に、ストーマの体外露出部に当接されるリング形状口部と該口部から連続する吸液材保持部とを有するストーマケア用排泄液受け具が提案されている。
【先行技術文献】
【特許文献】
【０００８】
【特許文献１】実開平７−２８５１９号公報
【発明の概要】
【発明が解決しようとする課題】
【０００９】
人工膀胱の場合では、ストーマ装具を交換する際に、ストーマから尿が少量ずつ排出されるので、それを押さえるために、ガーゼを棒状に巻いたロールガーゼ、吸水パッドとこれらを止めるためのテープ等を準備する必要がある。このようにストーマ装具を交換するための段取りに時間が掛かり、交換作業が煩わしいという問題を有していた。
更に、ストーマ装具を交換する際に、突然尿が勢いよく噴出することがあり、部屋の床を汚損することがあった。このような尿の突然の噴出を止めることは困難であった。
【００１０】
また、人工膀胱又は人工肛門の何れの場合でも、３〜４日経てば新しいストーマ装具と交換する必要があり、ストーマの周囲を石けん等で洗浄する必要がある。そのときに使用する洗浄水で床を汚損しやすい。多数の人は洗浄水の飛散、排泄物が落下してもその後の処理が容易な浴室を利用することが多かった。しかし、冬季の湯の張っていない浴室、暖房設備のない浴室での交換は寒く辛いものであった。
【００１１】
なお、特許文献１の「ストーマケア用排泄液受け具」では、ストーマ装具を交換する際の尿の突然の噴出に際しては対処できなかった。また、洗浄水による洗浄処理に際して床の汚損についても対処できなかった。
【００１２】
本発明は、かかる問題点を解決するために創案されたものである。すなわち、本発明の目的は、ストーマ装具を交換する際に、ストーマ又はストーマ装具から落下する排泄物、突然の噴出する尿を受け止めることができ、床等の汚損を防止することができるストーマ装具用ダストバッグを提供することにある。
【課題を解決するための手段】
【００１３】
本発明は、腹部に造られた人工膀胱用または人工肛門用のストーマ（ｓ）の周囲腹部に穴（５４）の開いたフランジ状の面板（５３）を貼り付けることで装着されたストーマ袋（５２）に排泄物を収納するストーマ装具（５１）を交換する際に、ストーマ（ｓ）又はストーマ装具（５１）から漏れ出した排泄物を下方位置で受け止めるストーマ装具用ダストバッグ（１）であって、
前記ストーマ装具用ダストバッグ（１）を装着する者の腹部（ａｂ）側に位置することとなる薄板である腹部側細板部（６）と、長辺方向に補強用折り線（７ａ，７ａ）が短辺方向に曲折用折り線（７ｂ）が形成され、かつ、該腹部側細板部（６）の両端にそれぞれ連結された薄板である補強用細板部（７，７）と、該両補強用細板部（７，７）の先端を連結する薄板である突出側細板部（８）とから成り、曲折用折り線（７ｂ）で二つ折りにした前記両補強用細板部（７，７）を展開したときに四角枠状になる枠体（３）と、
ストーマ（ｓ）又はストーマ装具（５１）からの排泄物を受け止めるために前記枠体（３）を構成する各細板部（６，７，７，８）に開口部（４）が取り付けられ前記枠体の展開により開口する袋本体（５）と、
前記腹部側細板部（６）に取り付けられ腹部（ａｂ）に貼り付けられる粘着面（１１）を具備した貼着板（２）と、を備え、
ストーマ装具（５１）の交換に際して、前記曲折用折り線（７ｂ）で折りたたんだ状態の前記両補強用細板部（７，７）相互に離隔するように長辺方向に伸長させることで前記枠体（３）を四角枠状に展開して前記袋本体（５）の開口部（４）を開口させ、前記補強用折り線（７ａ）で該補強用細板部（７）の長辺部分を枠体（３）の内側に折り曲げることで剛性を生じさせて枠体（３）を四角形状の形態が維持されるように組み立てた後、ストーマ装具（５１）を袋本体（５）で掬うようにした状態で前記貼着板（２）の貼着面（１１）をストーマの下方位置の腹部（ａｂ）に貼り付けて使用する、ことを特徴とする。
例えば、前記補強用細板部（７）の横断面が下向き略コ字状になるように、該補強用細
板部（７）の長辺方向に２本の補強用折り線（７ａ，７ａ）を形成したものが好ましい。
【００１４】
前記突出側細板部（８）の長辺側に、ストーマ（ｓ）から噴出する排泄物を受け止める衝立（１３）を設けることが好ましい。
前記ストーマ装具用ダストバッグ（１）の使用後に可燃処理できるように、前記枠体（３）、前記貼着板（２）と前記袋本体（５）が紙素材から成るものが好ましい。
【００１５】
前記袋本体（５）の内部に、排泄物の液分を吸収する液体吸収材（１４）を設けること
ができる。
前記袋本体（５）の内部に、排泄物からの臭気を吸収する脱臭剤（１５）を設けること
ができる。
【発明の効果】
【００１６】
上記構成の発明では、腹部（ａｂ）に取り付けたストーマ装具用ダストバッグ（１）は、展開した２本の補強用細板部（７）と腹部側細板部（６）と突出側細板部（８）とから成る枠体（３）が、袋本体（５）の開口部（４）を広げた状態で、その形状を維持できる。ストーマ装具（５１）を交換する際に、ストーマ（ｓ）又はストーマ装具（５１）から落下する排泄物を容易に受け止めることができ、その交換に際して床等の汚損を防止することができる。
【００１７】
枠体（３）は、袋本体（５）の開口部（４）を広げた状態を維持できるので、この開口部（４）から手指を差し込むことができ、古いストーマ装具（５１）、面板（５３）の除去、皮膚面の洗浄、新しいストーマ装具（５１）、面板（５３）の装着といった一連の交換作業に支障がない。
【図面の簡単な説明】
【００１８】
【図１】本発明のストーマ装具用ダストバッグを示す分解斜視図である。
【図２】展開して完成した状態のストーマ装具用ダストバッグを示す斜視図である。
【図３】ストーマ装具用ダストバッグを展開する状態を示す斜視図である。
【図４】補強用細板部の長辺部分を組み立てる状態を示す拡大断面図であり、（ａ）は折り曲げる前の状態、（ｂ）は１本目を折り曲げる状態、（ｃ）は２本目を折り曲げる状態、（ｄ）は２本とも完全に折り曲げた状態である。
【図５】本発明のストーマ装具用ダストバッグを人工膀胱用のストーマ装具に使用した状態を示し、（ａ）は正面図、（ｂ）は側面図である。
【図６】本発明のストーマ装具用ダストバッグを人工肛門用のストーマ装具に使用した状態を示す正面図である。
【図７】突出側細板部に衝立を設けた枠体の変形例を示す部分斜視図である。
【図８】衝立の変形例を示す正面図である。
【図９】袋本体の内部に吸収材・脱臭剤を入れた変形例を示す斜視図である。
【図１０】ストーマ装具用ダストバッグを折りたたむ状態を示す斜視図である。
【図１１】ストーマ装具用ダストバッグを折りたたんだ状態を示す平面図である。
【図１２】ストーマ装具を示す正面図である。
【図１３】ストーマ装具を交換する際の作業手順を示すフロー図である。
【発明を実施するための形態】
【００１９】
本発明は、ストーマに装着されたストーマ装具を交換する際に、ストーマ又はストーマ装具からの排泄物を受け止める、展開自在の枠体と排泄部を溜める袋本体と腹部に貼り付ける貼着板とから成るストーマ装具用ダストバッグである。
【実施例１】
【００２０】
以下、本発明の実施例を図面を参照して説明する。
図１は本発明のストーマ装具用ダストバッグを示す分解斜視図である。図２は展開して完成した状態のストーマ装具用ダストバッグを示す斜視図である。
本発明のストーマ装具用ダストバッグ１は、ストーマｓに装着されたストーマ装具５１を交換する際に、腹部ａｂのストーマｓの下方位置に貼り付ける貼着板２と、展開自在の枠体３と、この枠体３で開口部４が広げられる袋本体５とから成る折りたたみ可能な袋状の用具である。このストーマ装具用ダストバッグ１は、ストーマｓに装着されたストーマ装具５１を交換する際に、ストーマｓ又はストーマ装具５１から落下する排泄物を受け止められる状態で腹部に取り付ける。
【００２１】
〈枠体の構成〉
枠体３は、ストーマ装具用ダストバッグ１の使用状態において、腹部ａｂに位置する腹部側細板部６と、この腹部側細板部６の両端に補強用細板部７を２本連結し、両補強用細板部７に突出側細板部８を四角枠の形状に成るように連結したものである。図1に示す枠体３部分は、四角枠状に完成した状態を示す。腹部側細板部６と突出側細板部８とは細長い薄板である。補強用細板部７は、長辺方向に２本の補強用折り線７ａを、短辺方向に１本の曲折用折り線７ｂをそれぞれ形成した薄板である。この折り線７ａ，７ｂは、薄い細板部を折り曲げやすくするために、その細板部に線状の形成した溝又はミシン目を開けた状態等である。
【００２２】
これらの腹部側細板部６、突出側細板部８と補強用細板部７は、腹部の湾曲面に沿うように、可撓性を有する所定の厚さのシート材で製造したものである。例えば、各細板部６，７，７，８は１枚の細長い紙製シート材をそれぞれの形状になるように裁断し、この両端を接続したものである。折り線７ａ，７ｂは、プレス加工で溝を形成した。材質としては、容易に折り曲げることができ、その形状を維持できる程度の厚みを有する紙製のシート材が好ましい。しかし、紙製のシート材に代えてプラスチック製のシート材を用いることも可能である。
【００２３】
この枠体３の他に、後述する貼着板２と袋本体５の全てを紙素材で製造したストーマ装具用ダストバッグ１は、その使用後に可燃処理できるので後処理が容易になる。
【００２４】
図３はストーマ装具用ダストバッグを展開する状態を示す斜視図である。図４は補強用細板部の長辺部分を組み立てる状態を示す拡大断面図であり、（ａ）は折り曲げる前の状態、（ｂ）は１本目を折り曲げる状態、（ｃ）は２本目を折り曲げる状態、（ｄ）は２本とも完全に折り曲げた状態である。
ストーマ装具用ダストバッグ１を使用するために展開するときは、図３に示すように、折りたたんだ枠体３に巻き付けてある袋本体５を広げる。枠体３の腹部側細板部６から突出側細板部８を離れるように広げる。同時に、折り曲げられている両補強用細板部７は曲折用折り線７ｂで長辺方向へ展開する。
【００２５】
補強用細板部７は、図４（ａ）と（ｂ）に示すように、補強用細板部７の長辺方向に１本目の補強用折り線７ａで長辺部分を枠体３の内側へ折り曲げる。更に図４（ｃ）に示すように、２本目の補強用折り線７ａで長辺部分を内側へ折り曲げ、最後に図４（ｄ）に示すように、２本の補強用折り線７ａで長辺部分を直角に折り曲げる。この２回の折り曲げにより、補強用細板部７は横断面が１枚の薄い板から下向きの略コ字形状になり、所定の剛性が生じる。
【００２６】
連結された各細板部６，７，７，８は、四角い枠体３を形成するが、剛性が付与された両補強用細板部７を折り曲げた略コ字形状の両端部分が、腹部側細板部６と突出側細板部８の面部分とそれぞれに接しているので、枠体３は歪むことなく、四角形状の形態を維持することができる。これら４枚の各細板部６，７，７，８の長辺に開口部４が取り付けられた袋本体５は、その開口部４が広げられた状態で維持される。
【００２７】
図３に示すように、各補強用折り線７ａには、その一方の短辺部分（突出側細板部８側）には鉤部９が形成され、突出側細板部８のスリット１０に着脱自在に係合するようになっている。この鉤部９とスリット１０との係合により、枠体３の四角形状の形態の維持が更に強固なものとなる。但し鉤部９とスリット１０との係合は容易に着脱できる程度のものである。ストーマ装具用ダストバッグ１の使用が済んだらスリット１０から鉤部９を外し、折り曲げた補強用細板部７の長辺方向を延ばして補強用細板部７を元の薄板状にして折りたたむためである。
なお、薄板材の端部を係合させる構成であれば、図示例に限定されない。例えば、鉤部９に代えて、補強用折り線７ａにもスリットを形成し、突出側細板部８のスリット１０に係合するように構成することもできる。
【００２８】
〈袋本体の構成〉
この枠体３に袋本体５が取り付けられている。枠体３を構成する各細板部６，７，７，８の長辺に袋本体５の開口部４が接着剤、熱圧着等により取り付けられる。枠体３は、袋本体５の開口部４を広げる機能を有し、上述したように、開口部４を広げた状態に維持することにより、ストーマｓ又はストーマ装具５１からの排泄物を受け止めやすくなる。
【００２９】
袋本体５は、例えば防水加工した紙、ポリエチレン、塩化ビニル、ポリプロピレンのような柔らかい材質のプラスチックフィルムからなる袋である。図示例の袋本体５は横倒した三角柱状を有し、一側面部分が開口部４になり、両底面部分に折りたたみ線５ａを形成した。この折りたたみ線５ａにより、上記した補強用細板部７の曲折用折り線７ｂと連続し、この補強用細板部７を折りたたむ際に、袋本体５も容易に折りたためるようになる。なお、軟質材の素材からなる袋本体５ではこの折りたたみ線５ａを積極的に設ける必要はない。また、袋本体５の全体形状も横倒した三角柱状に限定されず、横倒した略円柱状、略角柱状又はその他の形状にすることができる。
【００３０】
袋本体５の深さ、即ち装着時の上下方向の長さは、ストーマ装具５１の全長から面板５３部分の長さを引いた長さがあれば十分である。この袋本体５は、ストーマ装具５１を支えることを目的とするものではなく、このストーマ装具５１を交換する際に排泄物の床までの落下を防止することが目的だからである。
【００３１】
〈貼着板の構成〉
枠体３の腹部側細板部６に貼着板２を取り付ける。貼着板２は腹部側細板部６と同程度の大きさ又は腹部側細板部６よりやや大きい細長い板状の可撓性を有する部材である。貼着板２は一面側に腹部側細板部６を取り付け、他面側に粘着面１１を具備したものである。この粘着面１１には通常剥離シート１２を貼り付けておき、不使用時には他の物に貼り付かないようになっている。本発明のストーマ装具用ダストバッグ１を使用する際に、貼着板２から剥離シート１２を剥がし、粘着面１１を露出させる。この状態でストーマｓの下方位置に貼り付けることができる。
【００３２】
この貼着板２は、ストーマｓ近くの装着者の腹部ａｂに貼り付けるために、その粘着面１１の粘着力はストーマ装具用ダストバッグ１の自重と袋本体５にある程度の排泄物が入っても支えられる強度は必要である。但し、ストーマ装具５１の交換が終了したら容易に剥がす必要があるので、強力な粘着力は必要ない。この粘着面１１は、使用済みのストーマ装具用ダストバッグ１を折りたたんだ枠体３に巻き付けた袋本体５の一部に貼り付くことで、使用後のストーマ装具用ダストバッグ１をコンパクトな状態を維持する機能もある。
【００３３】
〈ストーマ装具用ダストバッグの使用手順〉
図５は本発明のストーマ装具用ダストバッグを人工膀胱用のストーマ装具に使用した状態を示し、（ａ）は正面図、（ｂ）は側面図である。図６は本発明のストーマ装具用ダストバッグを人工肛門用のストーマ装具に使用した状態を示す正面図である。
本発明のストーマ装具用ダストバッグ１は、ストーマｓに装着されたストーマ装具５１を交換する際に、枠体３を四角形状に展開する。先ず折りたたんだ枠体３に巻き付けてある袋本体５を広げる。枠体３の腹部側細板部６から突出側細板部８を離れさすように広げる。同時に、両補強用細板部７は曲折用折り線７ｂで展開する。
【００３４】
補強用細板部７の長辺方向に１本目の補強用折り線７ａで長辺部分を枠体３の内側へ折り曲げ、更に２本目の補強用折り線７ａで長辺部分を内側へ折り曲げる。この２回の折り曲げにより、補強用細板部７はその横断面が薄板から下向きの略コ字形状になり、補強用細板部７に所定の剛性が生じる。
【００３５】
枠体３を四角形状の形態が維持されるように組み立てたら、腹部側細板部６にある貼着板２から剥離シート１２を剥がし、粘着面１１を露出させる。この枠体３からストーマ装具５１のストーマ袋５２を掬うように入れ、この状態で貼着板２の粘着面１１をストーマｓの下方位置に貼り付ける。
【００３６】
このような状態にしたストーマ装具用ダストバッグ１で、次のように、従来と同様な手順でストーマ装具５１を交換する。先ず、古いストーマ装具５１を除去する。この除去した後のストーマｓの周囲の皮膚面をきれいに洗う。このときの洗剤又は消毒液が落下しても袋本体５が受け止めるので床面を汚損することを防止できる。
【００３７】
皮膚面が乾いた後、新しい面板５３（ストーマ袋５２）を貼り付ける。古いストーマ装具５１を外しているときにも、皮膚面を洗ってから新しい面板５３（ストーマ袋５２）の貼り付けが終わるまでの間において、排泄物、特に尿は出続ける。このときの尿などの排泄物が噴出しても袋本体５が受け止めるので床等を汚損することを防止できる。
【００３８】
新しい面板５３（ストーマ袋５２）の貼り付けが終わったら、交換作業が完了するので、ストーマ装具用ダストバッグ１を腹部ａｂから外す。
【００３９】
使用したストーマ装具用ダストバッグ１は、このとき袋本体５に溜まった排泄物をトイレに流す。補強用細板部７の折り曲げた長辺部分を元に戻すように1本目と２本目の補強用折り線７ａで展開し、曲折用折り線７ｂで折り曲げる。この状態で腹部側細板部６から突出側細板部８を重ねるようにたたむ。このとき同時に袋本体５も折りたたみ線５ａで折りたためられる。次に、この袋本体５を、重ねた腹部側細板部６と突出側細板部８に巻き付ける。腹部側細板部６には貼着板の粘着面１１が露出しているので、ここに袋本体５を貼り付ける。これによりコンパクトになった使用後のストーマ装具用ダストバッグ１は不用意に広がることがなく、その後の廃棄処理などを容易に実施することができる。
【００４０】
〈衝立の構成〉
図７は突出側細板部に衝立を設けた枠体の変形例を示す部分斜視図である。図８は衝立の変形例を示す正面図である。
ストーマ装具５１を外しているときにも、排泄物、特に尿は出続ける。特に尿の場合は噴出することがある。そこで、この変形例では、枠体３を構成する突出側細板部８の長辺側に、上方に向けて衝立１３を設けた。この衝立１３の位置はストーマｓの前方位置である。この衝立１３に、ストーマｓから噴出する尿を受け止めるので床面を汚損することを防止できる。受け止めた尿を袋本体５に溜めるようにする。
【００４１】
図示例の衝立１３は四角形状であるが、この形状に限定されず、図８に示すように半球形状にすることができる。更に台形形状又は三角形状などにすることができる。噴出する尿を受け止められる形状、又は大きさを有するものであれば、その形状は限定されない。但し大きすぎる衝立１３は、これが邪魔になってストーマ装具用ダストバッグ１をコンパクトに畳めなくなるので好ましくない。
【００４２】
〈吸収材と脱臭剤〉
図９は袋本体の内部に吸収材・脱臭剤を入れた変形例を示す斜視図である。
袋本体５の内部に排泄物の液分を吸収する液体吸収材１４を設けた。通常は排泄物が袋本体５に大量に溜まったときはトイレに流すが、少量の排泄物が袋本体５に溜まることがある。このような状態で交換後のストーマ装具用ダストバッグ１を丸めて廃棄する際に排泄物、尿などが滲み出すおそれがある。そこで、袋本体５内に排泄物の液分を吸収する吸水性高分子、繊維材又は不織布のような液体吸収材１４を設け、これに液分を吸わせる。
【００４３】
また、袋本体５の内部に排泄物からの臭気を吸収する脱臭剤１５を設けた。本発明は、従来のようにストーマ装具５１の交換を浴室に行かなくても、通常の居室でも床を汚すことなく交換できる。しかし、居室には浴室のように換気扇が設備されていないこともある。排泄物の臭気が部屋にこもるおそれがある。そこで、袋本体５の内部に脱臭剤１５を設けることで、排泄物からの臭気を吸収させることで、快適にストーマ装具５１を交換することができる。
【００４４】
図１０はストーマ装具用ダストバッグを折りたたむ状態を示す斜視図である。図１１はストーマ装具用ダストバッグを折りたたんだ状態を示す平面図である。
ストーマ装具用ダストバッグ１を保管するとき又は使用後に廃棄するときは、枠体３は、図１０に示すように、両補強用細板部７はスリット１０から鉤部９を外し、長辺部分を展開し、曲折用折り線７ｂで内側へ押し込むように曲げることで、腹部側細板部６と突出側細板部８が近づき、小さく折りたためる。更に図１１に示すように、各細板部６，７，７，８の長辺に開口部４が取り付けられた袋本体５は文字通り袋状の部材であるため、折りたたんだ枠体３に巻き付けるようにたたむことができる。
【００４５】
なお、本発明は、ストーマ装具５１を入れるバッグを腹部ａｂに取り付けることで、ストーマ装具５１を交換する際に、ストーマｓ又はストーマ装具５１から落下する排泄物、突然の噴出する尿を受け止めることができ、床等の汚損を防止することができれば、上述した発明の実施の形態に限定されず、本発明の要旨を逸脱しない範囲で種々変更できることは勿論である。
【産業上の利用可能性】
【００４６】
本発明のストーマ装具用ダストバッグは、人工膀胱、人工肛門以外にも人の皮膚を液体を使用して洗浄するようなときに利用することができる。
【符号の説明】
【００４７】
１  ストーマ装具用ダストバッグ
２  貼着板
３  枠体
３ａ  折りたたみ線
４  開口部
５  袋本体
６  腹部側細板部
７  補強用細板部
７ａ  補強用折り線
７ｂ  曲折用折り線
８  突出側細板部
１１  粘着面
１３  衝立
１４  液体吸収材
１５  脱臭剤
５１  ストーマ装具
ｓ  ストーマ
ａｂ  腹部
【要約】
【課題】ストーマ装具を交換する際に、ストーマ又はストーマ装具から落下する排泄物、突然の噴出する尿を受け止めることができ、床等の汚損を防止する。
【解決手段】展開自在の四角枠状になる枠体３と、枠体３に、その開口部４が取り付けられたストーマｓ又はストーマ装具５１からの排泄物を受け止める袋本体５と、枠体３の腹部側細板部６に取り付けた、腹部ａｂに貼り付けられる粘着面１１を具備した貼着板２と、を備え、ストーマ装具５１の交換に際して、曲折用折り線７ｂで補強用細板部７を展開すると同時に、袋本体５の開口部４を広げ、補強用折り線７ａで補強用細板部７の長辺部分を折り曲げ、補強用細板部７の両端部を腹部側細板部６と突出側細板部８間を突っ張る状態にして、枠体３に剛性が生じるように構成した。
【選択図】図２【図１】
0005458333.tif 000002
【図２】
0005458333.tif 000003
【図３】
0005458333.tif 000004
【図４】
0005458333.tif 000005
【図５】
0005458333.tif 000006
【図６】
0005458333.tif 000007
【図７】
0005458333.tif 000008
【図８】
0005458333.tif 000009
【図９】
0005458333.tif 000010
【図１０】
0005458333.tif 000011
【図１１】
0005458333.tif 000012
【図１２】
0005458333.tif 000013
【図１３】
0005458333.tif 000014